(57)【要約】【課題】故障を抑制して安全性を向上できる電力測定器を提供する。【解決手段】一対の端子板２１ａ、２１ｂを有して商用コンセント５０に挿入されるプラグ部２１と、電気機器の電源プラグが挿入されるコンセント部２０と、プラグ部２１とコンセント部２０との間に発生する電力を測定する電力測定部と、を備えた電力測定器１において、電力測定部を収納するケーシング３０の上面３０ｂにコンセント部２０を形成するとともに、底面３０ａから突出する取付部３１上にプラグ部２１を立設し、プラグ部２１に対して端子板２１ａ、２１ｂの並設方向Ｘに垂直な方向に距離ｄ３離れて並設方向Ｘに対向する一対の突出部３２を設けた。【選択図】図２
2014025827.tif 000002
【特許請求の範囲】
【請求項１】
一対の端子板を有して商用コンセントに挿入されるプラグ部と、電気機器の電源プラグが挿入されるコンセント部と、前記プラグ部と前記コンセント部との間に発生する電力を測定する電力測定部と、を備えた電力測定器において、
前記電力測定部を収納するケーシングの上面に前記コンセント部を形成するとともに、底面から突出する取付部上に前記プラグ部を立設し、
前記プラグ部に対して前記端子板の並設方向に垂直な方向に所定距離離れて前記並設方向に対向する一対の突出部を設けたことを特徴とする電力測定器。
【請求項２】
前記ケーシングの底面からの前記突出部の高さと前記取付部の高さとを同一にしたことを特徴とする請求項１に記載の電力測定器。
【請求項３】
前記ケーシングの底面からの前記突出部の高さが前記取付部の高さよりも大きいことを特徴とする請求項１に記載の電力測定器。
【請求項４】
両方の前記突出部間の距離が前記端子板間の距離よりも大きいことを特徴とする請求項１〜３のいずれかに記載の電力測定器。
【請求項５】
前記プラグ部が前記ケーシングの一端部に配され、前記突出部が前記ケーシングの他端部に配されることを特徴とする請求項１〜４のいずれかに記載の電力測定器。
【発明の詳細な説明】
【技術分野】
【０００１】
本発明は電気機器の電力を測定する電力測定器に関する。
【背景技術】
【０００２】
特許文献１には従来の電力測定器が開示されている。この電力測定器はプラグ部、コンセント部及び電力測定部を備える。プラグ部は一対の端子板を有して商用コンセントに挿入される。コンセント部は電気機器の電源プラグが挿入される。電力測定部は電気機器の電力を測定する。
【０００３】
上記構成の電力測定器の一般的な外観を図８、図９に示す。図８、図９は電力測定器１の斜視図、側面図を示す。電力測定器１は電力測定部を収納するケーシング３０を有する。ケーシング３０の上面３０ｂにはコンセント部２０が形成され、底面３０ａにはプラグ部２１が立設される。
【０００４】
商用コンセントにプラグ部２１が挿入され、電気機器の電源プラグがコンセント部２０に挿入されて電気機器１が駆動する。電力測定部に入力された電流値及び電圧値の積により電気機器の消費電力が導出される。
【先行技術文献】
【特許文献】
【０００５】
【特許文献１】特開２００１−２５１７６０号公報
【発明の概要】
【発明が解決しようとする課題】
【０００６】
商用コンセントには電気機器のアース線を接続するアース端子が隣接して配される場合がある。図１０はこの商用コンセントの正面図を示している。商用コンセント５０は略矩形状のコンセントカバー５３上に配される。コンセントカバー５３には商用コンセント５０の下方に隣接して孔部５１が設けられる。また、孔部５１はコンセントカバー５３に枢支される蓋部５２により開閉可能になっている。孔部５１を介してアース線５４がアース端子（不図示）に接続される。
【０００７】
図１１は商用コンセント５０に電力測定器１を接続した状態を示す側面図である。商用コンセント５０にプラグ部２１が挿入されると、電力測定器１のケーシング３０の底面３０ａがアース線５４上の蓋部５２に当接する。このため、電力測定器１がコンセントカバー５３に対して傾斜して設置される。
【０００８】
この時、プラグ部２１の一部は商用コンセント５０から露出しているため、ユーザは感電する虞があり、安全性が問題となる。また、商用コンセント５０にプラグ部２１が斜めに挿入されるため、プラグ部２１に負担がかかって電力測定器１が故障する虞がある問題もあった。
【０００９】
本発明は、故障を抑制して安全性を向上できる電力測定器を提供することを目的とする。
【課題を解決するための手段】
【００１０】
上記目的を達成するため、一対の端子板を有して商用コンセントに挿入されるプラグ部と、電気機器の電源プラグが挿入されるコンセント部と、前記プラグ部と前記コンセント部との間に発生する電力を測定する電力測定部と、を備えた電力測定器において、前記電力測定部を収納するケーシングの上面にコンセント部を形成して底面から突出する取付部上に前記プラグ部を立設し、前記プラグ部に対して前記端子板の並設方向に垂直な方向に所定距離離れて前記並設方向に対向する一対の突出部を設けたことを特徴とする。
【００１１】
この構成によると、商用コンセントにプラグ部が挿入されて固定される。この時、例えば商用コンセントの下方に孔部を介して接続する電気機器のアース線が設けられていても、突出部の間にアースが配されて電力測定器が固定される。そして、電気機器の電源プラグがコンセント部に挿入されて電気機器が駆動する。電力測定部は電流値と電圧値との積算により電気機器で消費する電力が導出される。
【００１２】
また本発明は、上記構成の電力測定器において、前記ケーシングの底面からの前記突出部の高さと前記取付部の高さとを同一にしたことを特徴とする。この構成によると、室内の壁面に設置されるコンセントカバーに商用コンセントが配され、商用コンセントにプラグ部が挿入される。この時、コンセントカバー上に取付部及び突出部が当接し、電力測定器の傾斜が防止される。
【００１３】
また本発明は、上記構成の電力測定器において、前記ケーシングの底面からの前記突出部の高さが前記取付部の高さよりも大きいことを特徴とする。この構成によると、室内の壁面に設置されるコンセントカバーに商用コンセントが配され、商用コンセントにプラグ部が挿入される。この時、コンセントカバー上に取付部が当接して壁面上に突出部が当接し、電力測定器の傾斜が防止される。
【００１４】
また本発明は、上記構成の電力測定器において、両方の前記突出部間の距離が前記端子板間の距離よりも大きいことを特徴とする。
【００１５】
また本発明は、上記構成の電力測定器において、前記プラグ部が前記ケーシングの一端部に配され、前記突出部が前記ケーシングの他端部に配されることを特徴とする。
【発明の効果】
【００１６】
本発明によると、電力測定部を収納するケーシングの上面にコンセント部を形成して底面から突出する取付部上にプラグ部を立設し、プラグ部に対して端子板の並設方向に垂直な方向に所定距離離れて並設方向に対向する一対の突出部を設けている。このため、例えば商用コンセントの下方に電気機器のアース線が接続されていても、突出部の間にアース線を配して電力測定器を固定できる。これにより、プラグ部の一部の露出を防止して安全性を向上するとともに、適切にプラグ部が商用コンセントに挿入されるため、電力測定器の故障を抑制できる。
【図面の簡単な説明】
【００１７】
【図１】本発明の第１実施形態の電力測定器を示す斜視図
【図２】本発明の第１実施形態の電力測定器を示す斜視図
【図３】本発明の第１実施形態の電力測定器を示す側面図
【図４】本発明の第１実施形態の電力測定器を示すブロック図
【図５】本発明の第１実施形態の電力測定器の取付状態を示す側面図
【図６】本発明の第２実施形態の電力測定器の取付状態を示す側面図
【図７】本発明の第３実施形態の電力測定器の示す斜視図
【図８】従来の電力測定器を示す斜視図
【図９】従来の電力測定器を示す側面図
【図１０】従来の商用コンセントを示す正面図
【図１１】従来の電力測定器を取付状態を側面図
【発明を実施するための形態】
【００１８】
（第１実施形態）
以下に本発明の実施形態について図面を参照して説明する。図１、図２、図３は第１実施形態の電力測定器の上面３０ｂから見た斜視図、底面３０ａから見たから斜視図、側面図を示している。
【００１９】
電力測定器１は平面視略矩形の樹脂成形品から成るケーシング３０により覆われる。ケーシング３０の上面３０ｂには開口部３０ｃが開口し、開口部３０ｃの下方には表示部１６が設けられる。開口部３０ｃを介して電気機器の電源プラグが後述するコンセント部２０（図４参照）に挿入される。表示部１６はＬＥＤ等により形成され、電力測定器１の動作状態に応じて点滅や点灯を行う。
【００２０】
ケーシング３０の一側面３０ｄには操作部１７が配される。操作部１７はプッシュスイッチにより形成され、操作部１７の押圧によって各種設定が行われる。
【００２１】
ケーシング３０の底面３０ａには取付部２１及び突出部３２が設けられる。取付部２１はケーシング３０の上端部に設けられ、底面３０ａからから突出して略矩形状に形成される。取付部２１にはプラグ部２１が立設される。プラグ部２１は一対の端子板２１ａ、２１ｂを有して商用コンセントに挿入される。
【００２２】
突出部３２はケーシング３０の下端部に設けられ、底面３０ａから突出して略矩形状に形成される。突出部３２は一対設けられ、プラグ部２１に対して端子板２１ａ、２１ｂの並設方向Ｘに垂直な長手方向Ｙに所定距離ｄ１だけ離れて並設方向Ｘに対向する。この時、両方の突出部３２間の距離ｄ３が端子板２１ａ、２１ｂ間の距離ｄ２よりも大きく形成されている。また、突出部３２の高さＨ１と取付部３１の高さＨ２とを同じにしている。
【００２３】
図４は電力測定器１のブロック図を示している。電力測定器１はコンセント部２０、プラグ部２１、電源部２、センサ部６及び制御部１０を有している。コンセント部２０とプラグ部２１ｂとは配線２２ａ、２２ｂにより接続される。
【００２４】
電源部２は配線２２ａ、２２ｂから電源が供給され、ＡＣ／ＤＣ回路部３、ＤＣ／ＤＣ回路部４を備える。ＡＣ／ＤＣ回路部３はプラグ部２１から供給される交流電圧をセンサ部６の直流電圧（例えば５Ｖ）に変換する。ＤＣ／ＤＣ回路部４はＡＣ／ＤＣ回路部３から供給される直流電圧を制御部１０の駆動電圧（例えば３．３Ｖ）に変換する。
【００２５】
センサ部６はシャント抵抗８及び電力情報計測部７を備え、電気機器で消費される電圧や電流を計測する。シャント抵抗８は１ｍΩ程度の微小抵抗によって形成され、配線２２ｂに接続される。電力情報計測部７はシャント抵抗８に流れる電流値と、コンセント部２０に印加される電圧値とを計測する。
【００２６】
制御部１０はＣＰＵ１１、記憶部１２、ＲＦ部１３及び入出力部１４を備えている。ＣＰＵ１１は電力測定器１の各部を制御する。また、ＣＰＵ１１は電力情報計測部７により計測された電流値及び電圧値から成る電力情報に基づいて、コンセント部２０に接続される電気機器の消費電力を導出する。従って、ＣＰＵ１１及び電力情報計測部７は電気機器の消費電力を測定する電力測定部を構成する。
【００２７】
記憶部１２はＲＡＭ及びＲＯＭから成り、電気機器の消費電力を演算するプログラムを一時的に記憶するとともにＣＰＵ１１により導出された消費電力を記憶する。入出力部１４は操作部１７及び表示部１６が接続される。入出力部１４を介してＣＰＵ１１に操作部１７の信号が入力されるとともにＣＰＵ１１から表示部１６に信号が出力される。
【００２８】
ＲＦ部１３はアンテナ部１５を介してＲＦ信号によりサーバー（不図示）等との通信を行う。これにより、記憶部１２に記憶された電気機器の消費電力のデータがサーバー等に蓄積される。これにより、電気機器の消費電力のデータを容易に確認することができる。
【００２９】
ＲＦ信号による通信に替えてＬＡＮケーブル等による有線接続によってサーバーと通信を行ってもよい。尚、ＲＦ部１３を省いて記憶部１２に記憶された消費電力のデータを出力させるように構成してもよく、表示させるように構成してもよい。
【００３０】
図５は電力測定器１を商用コンセント５０に接続した状態を示す側面図である。商用コンセント５０は前述の図１０に示すようにコンセントカバー５３上に設けられ、アース端子（不図示）が下方に隣接して配される。
【００３１】
電力測定器１は商用コンセント５０（図１０）にプラグ部２１が挿入される。この時、ケーシング３０の底面３０ａからの突出部５２の高さＨ２と取付部３１の高さＨ１とが同じ高さであるため、底面３０ａとコンセントカバー５３とは隙間Ｓを有して平行に配される。
【００３２】
このため、アース線５４は両方の突出部３２の間に配されて電気機器に接続される。この時、プラグ部２１の一部が露出することがないため、ユーザの感電を抑制して電力測定器１の安全性を向上できる。
【００３３】
そして、電気機器の電源プラグがコンセント部２０に挿入されて電気機器１が駆動し、電力測定部に入力された電流値及び電圧値の積により電気機器の消費電力が導出される。
【００３４】
本実施形態によると、電力測定部を収納するケーシング３０の上面３０ｂにコンセント部２０を形成して底面３０ａから突出する取付部３１上にプラグ部２１を立設し、プラグ部２１に対して端子板２１ａ、２１ｂの並設方向Ｘに垂直な方向に所定距離ｄ１離れて並設方向Ｘに対向する一対の突出部３２を設けている。このため、商用コンセント５０の下方に孔部５１を介してアース線５４が設けられていても、突出部３２の間にアース線５４を配して電力測定器１を固定できる。これにより、プラグ部２１の露出を抑えて感電を抑えて電力測定器の安全性を向上できる。また、適切な位置にプラグ部２１が商用コンセント５０に挿入されるため、電力測定器１の故障を抑制できる。
【００３５】
また、ケーシング３０の底面３０ａからの突出部３２の高さＨ２と取付部３１の高さＨ１とを同じ高さにしたため、コンセントカバー５３とケーシング３０の底面３０ａとを平行にして電力測定器１を安定的に固定することができる。
【００３６】
また、両方の突出部３２間の距離ｄ３が端子板２１ａ、２１ｂ間の距離ｄ２よりも大きいため、容易に両方の突出部３２の間にアース線５４を配して電力測定器１を固定できる。
【００３７】
また、プラグ部２１がケーシング３０の一端部に配され、突出部３２がケーシング３０の他端部に配されるため、商用コンセント５０にプラグ部２１を挿入した際により安定して電力測定器１を固定できる。
【００３８】
（第２実施形態）
次に第２実施形態の電力測定器１について説明する。図６は第２実施形態の電力測定器１の側面図を示している。説明の便宜上、第１実施形態と同様の部分には同一の符号で説明する。本実施形態では第１実施形態と異なり、ケーシング３０が突出部３２の並設方向Ｘに垂直な長手方向Ｙに延びて大きく形成される。このため、突出部３２はコンセントカバー５３の下方の外壁５５に当接する。
【００３９】
この時、ケーシング３０の底面３０ａからの突出部３２の高さＨ２が取付部３１の高さＨ１よりも大きくなっている。これにより、商用コンセント５０にプラグ部２１が挿入されると、ケーシング３０の底面３０ａとコンセントカバー５３とが略平行に配される。このため、第１実施形態と同様の効果を得ることができる。
【００４０】
本実施形態によると、ケーシング３０の底面３０ａからの突出部３２の高さＨ２が取付部３１の高さＨ１よりも大きいため、ケーシング３０が長手方向Ｙに大きく形成されても第１実施形態と同様の効果を得ることができる。
【００４１】
（第３実施形態）
次に第３実施形態の電力測定器１について説明する。図７は第３実施形態の電力測定器１の斜視図を示している。説明の便宜上、第１実施形態と同様の部分には同一の符号で説明する。本実施形態では第１実施形態と異なり、取付部３１の形状が異なる。
【００４２】
取付部３１は突出部３２まで延びて一体に形成され、コ字状に形成される。取付部３１はＵ字状に形成されてもよい。このため、電力測定器１は第１実施形態と同様の効果を得ることができる。
【００４３】
また、本実施形態において、取付部３１に対しての突出部３２に段差を設け、ケーシング３０の底面３０ａからの突出部３２の高さＨ２を取付部３１の高さＨ１よりも大きくしてもよい。これにより、ケーシング３０が長手方向Ｙに大きく形成されても電力測定器１を安定的に固定することができる。
【産業上の利用可能性】
【００４４】
本発明によると、電気機器の電力を測定する電力測定器に利用することができる。
【符号の説明】
【００４５】
１      電力測定器
７      電力情報計測部
８      シャント抵抗
１０    制御部
１１    ＣＰＵ
１２    記憶部
１３    ＲＦ部
１４    入出力部
１５    アンテナ部
１６    表示部
１７    操作部
２０    コンセント部
２０ａ  貫通孔
２１    プラグ部
２１ａ、２１ｂ  端子板
２２    配線
２５    リベット
２６    隙間
３０    ケーシング
３０ａ  底面
３０ｂ  上面
３０ｃ  開口部
３０ｄ  側面
３１    取付部
３２    突出部
４０    半田
５０    商用コンセント
５１    孔部
５２    蓋部
５３    コンセントカバー
５４    アース線
５５    外壁
【図１】
2014025827.tif 000003
【図２】
2014025827.tif 000004
【図３】
2014025827.tif 000005
【図４】
2014025827.tif 000006
【図５】
2014025827.tif 000007
【図６】
2014025827.tif 000008
【図７】
2014025827.tif 000009
【図８】
2014025827.tif 000010
【図９】
2014025827.tif 000011
【図１０】
2014025827.tif 000012
【図１１】
2014025827.tif 000013